(57)【要約】【課題】  販売機自体の、更にはその商品展示部に展示した商品見本の消費者に対するアピール効果を高めることのできる自動販売機を提供する。【解決手段】  商品を収納した販売機本体の前面部に開閉自在に設けられた前扉の前面に、少なくとも商品見本展示部を組み込んだ自動販売機において、前記商品展示部の背面板を半透光性の部材により構成し、この背面板の裏面側に該背面板を透過照明する多色発光可能な光源体を設けると共に、前記販売機本体の動作状態に応じて上記光源体を発光制御してその表示色や表示パターンを変更する制御装置を設ける。【選択図】      図５
2005301818.tif 000002
【特許請求の範囲】
【請求項１】
商品を収納した販売機本体の前面部に開閉自在に設けられた前扉の前面に、少なくとも商品見本展示部を組み込んだ自動販売機において、
前記商品展示部の背面板を半透光性の部材により構成し、この背面板の裏面側に該背面板を透過照明する多色発光可能な光源体を設けると共に、前記販売機本体の動作状態に応じて上記光源体を発光制御する制御装置を設けたことを特徴とする自動販売機。
【請求項２】
前記多色発光可能な光源体は、Ｒ,Ｇ,Ｂの各色成分をそれぞれ発光する発光ダイオードを備えたものであって、前記商品展示部に展示される商品見本の並び方向に沿って前記背面板の裏面側に複数個並べて設けられることを特徴とする請求項１に記載の自動販売機。
【請求項３】
前記制御装置は、前記販売機本体の動作状態に応じて予め設定された態様で前記光源体の発光色、およびその発光タイミングをそれぞれ制御するものである請求項１に記載の自動販売機。
【請求項４】
前記背面板は、白色の合成樹脂板からなる請求項１に記載の自動販売機。
【発明の詳細な説明】
【技術分野】
【０００１】
本発明は、販売機自体の、更にはその商品展示部に展示した商品見本の消費者に対するアピール効果を高めることのできる自動販売機に関する。
【背景技術】
【０００２】
たばこ等のパッケージ商品、缶またはＰＥＴボトルに充填した飲料商品等の自動販売機は、通常、箱形の販売機本体の前面部に設けた前扉の前面に、商品見本展示部や、この商品見本展示部に展示された商品を選択的に指定する商品選択釦、更には金銭投入口や釣り銭払出口等を設けて構成される（例えば特許文献１を参照）。商品見本展示部は、販売対象とする商品の見本を並べて展示する展示棚を備えたもので、商品選択釦は展示した商品見本に対応付けて設けられている。そして自動販売機は、上記商品選択釦が選択的に押圧操作されたとき、その商品選択釦が対応付けられた商品見本により特定される商品を選択的に払い出すものとなっている。
【特許文献１】特開２００２−２７９４９７号公報
【発明の開示】
【発明が解決しようとする課題】
【０００３】
ところで従来の自動販売機においては、商品展示部に展示した複数の商品見本中の販売促進対象とする商品、いわゆるキャンペーン対象商品をアピールするべく、例えばその商品が新商品である旨を示すラベルカードやステッカー等をその商品見本に取り付けるようにしている。しかしながら商品展示部は、専ら、その展示棚に設けた複数の商品見本を蛍光灯等によって照明するように構成されているだけなので、消費者に対する商品アピール性が乏しいと言う問題を有している。
【０００４】
本発明はこのような事情を考慮してなされたもので、その目的は、商品展示部に展示した商品見本の消費者（購買対象者）に対するアピール性を、更には販売機自体の存在感を高めることのできる自動販売機を提供することにある。
【課題を解決するための手段】
【０００５】
上述した目的を達成するべく本発明に係る自動販売機は、商品を収納した販売機本体の前面部に開閉自在に設けられた前扉の前面に、少なくとも複数の商品見本を並べて展示する商品見本展示部を組み込んだものであって、特に
前記商品展示部の背面板として半透光性の部材、例えば白色の合成樹脂板を用い、この背面板の裏面側に該背面板を透過照明する多色発光可能な光源体を設けると共に、前記販売機本体の動作状態に応じて上記光源体を発光制御する制御装置を設けたことを特徴としている。
【０００６】
好ましくは前記多色発光可能な光源体は、請求項２に記載するようにＲ,Ｇ,Ｂの各色成分をそれぞれ発光する発光ダイオードを備えたものであって、前記商品展示部に展示される商品見本の並び方向に沿って前記背面板の裏面側に上記光源体を複数個並べて設けることを特徴としている（請求項２）。そして請求項３に記載するように前記制御装置においては、前記販売機本体の動作状態に応じて予め設定された態様で前記光源体の発光色およびその発光タイミングをそれぞれ制御することを特徴としている。
【発明の効果】
【０００７】
上述した構成の自動販売機によれば、商品見本を展示した商品展示部の、例えば白色の合成樹脂板からなる半透光性の背面板がその裏面側に設けられた光源体により透過照明され、しかも上記光源体の発光色およびその発光タイミングが販売機本体の動作状態に応じて制御装置の制御の下でそれぞれ制御されるので、上記背面板の発光色が種々の態様で変化することになる。特に販売機本体の動作状態に応じた態様で背面板の発光色や発光の変化パターンが変化することになる。
【０００８】
このような背面板の発光態様の変化は、自動販売機から離れた位置においても視覚上の刺激を与えるものであり、この刺激を端緒として消費者（購買対象者）の注意力を該自動販売機に向けさせることが可能となる。即ち、商品展示部における画一的で単調な照明効果と異なり、透過照明による背面板の多彩な発光色の変化やその変化のパターン等によって商品展示部自体に多種多様な視覚的イメージを付与することができ、これによってそのアピール効果を高めることが可能となる。故に、商品展示部、ひいては自動販売機に対する注目度を高めて販売促進効果を期待することが可能となる等の実用上多大なる効果が奏せられる。特に販売機本体の動作状態等に応じて商品展示部における背面板の発光色や発光変化の態様を変えれば、これによって商品イメージを高めることも可能となるので、商品展示部としての機能を拡大することができる等の二次的な効果も期待することが可能となる。
【発明を実施するための最良の形態】
【０００９】
以下、図面を参照して本発明の一実施形態についてたばこ（シガレット）の自動販売機を例に説明する。
図１はこの実施形態に係る自動販売機の外観とその概略的な内部構造を示す斜視図で、１はその内部に複数種の商品（たばこ）を銘柄別に分類して収納した、例えば高さ約１８０ｃｍ，幅約８０ｃｍ、奥行き約５０ｃｍの箱形の販売機本体であり、２はその前面部に開閉自在に設けられた前扉である。この前扉２の前面には、販売対象とする商品見本を展示する商品見本展示部３、およびこの商品見本展示部３に展示された商品を選択的に指定する為の複数の商品選択釦４が設けられている。
【００１０】
上記商品見本展示部３は、複数種の商品見本（ダミー）を載置して展示する複数段の商品展示棚を備え、その前面部を透明なアクリル板等により覆ったものであり、また前記商品選択釦４は上記各商品展示棚に展示された商品見本（ダミー）にそれぞれ対応付けて前記前扉２の前面側から押圧操作可能に前記各商品展示棚の前端部にそれぞれ設けられている。尚、ここに例示する自動販売機においては、前扉２の前面上端部に該自動販売機の略全幅に跨る幅広の商品展示棚が１段設けられ、前扉２の前面左側の部位には該自動販売機の略１／２幅の幅狭の商品展示棚が上下７段に亘って設けられており、計４９個の商品見本を展示可能な商品見本展示部３が構成されている。
【００１１】
また前扉２の前面における略中央高さ位置の右側領域には、コイン投入口５ａ，紙幣投入口５ｂ，投入金額等を表示する表示器５ｃ、および釣り銭返却レバー５ｄ等からなる金銭処理機構５が設けられている。更に前記前扉２の前面における低部位置には、前記商品選択釦４の選択的（択一的）な操作に伴って販売機本体１から選択的に払い出された商品を取り出す為の商品取出口６や釣り銭返却口７、更には前扉２の開閉レバー８等が設けられている。
【００１２】
そして前記前扉２における上記金銭処理機構５の上部には窓部２ａが設けられており、この窓部２ａには後述する広告ユニット１０が組み込まれるようになっている。更にこの広告ユニット１０の組み込み位置（窓部２ａ）の近傍、特にその下部位置には後述するように上記広告ユニット１０に展示された商品見本を選択的に指定する為の補助商品選択釦１１（この例では３個）が設けられている。この補助商品選択釦１１は、前述した商品選択釦４と共に一括して管理されるもので、商品選択釦４および補助商品選択釦１１の中の１つを選択的に押圧操作することで販売（購入）商品の指定が行われる。
【００１３】
尚、前記前扉２は、販売機本体１の前端部右側を回動支点として左開きに開閉自在に設けられている。また販売機本体１の内部には、特に図示しないがパッケージ商品（たばこ）を銘柄別に分類して積み重ねて収納する複数列の商品コラムが多段に設けられており、また前扉２の裏面側にも複数列の商品コラムが多段に設けられている。これらの商品コラムは前扉２を閉じたときに所定の間隔を隔てて平行に対峙し、これらの商品コラム間に形成される空間部を上記各商品コラムから選択的に払い出された商品（たばこ）を前記商品取出口６に導く為の商品ガイド（中央シュート）として形成するものとなってる。
【００１４】
ここで前述した広告ユニット１０について説明すると、広告ユニット１０は、例えば図２に示すようなポスターユニット１０ａと、図３に示すような見本展示ユニット１０ｂとの２種類からなる。これらのポスターユニット１０ａおよび見本展示ユニット１０ｂは共に同じ大きさの、具体的には概略縦２０ｃｍ、横３０ｃｍ、奥行き１０ｃｍ程度の箱形のユニット体からなる。特にポスターユニット１０ａはその前面部に透過型・半透過型のポスターパネル２２を装着し得るように構成され、また見本展示ユニット１０ｂはその内部に３個の商品見本１３を並べて展示可能に構成されている。
【００１５】
ポスターユニット（広告ユニット）１０ａは、図２(ａ)にその正面から見た状態を、図２(ｂ)に裏蓋を開けた状態をそれぞれ示すように、四角形状の枠体１４と、この枠体１４の裏側を覆って開閉自在に設けられた裏蓋１５とを備える。尚、裏蓋１５はヒンジ１６を介して前記枠体１４に取り付けられており、その回動端側にスライド自在に設けられたラッチ１７を枠体１４の側部に穿たれた係合溝１８に係合させることで該枠体１４の裏面に固定される。また枠体１４の両側部には該ポスターユニット（広告ユニット）１０ａを前扉２に固定する為の一対の係止片１９が突設されている。更に枠体１４の側部には該ポスターユニット（広告ユニット）１０ａを前扉２、ひいては販売機本体１に電気的に接続する為の多極コネクタ２０が取り付けられている。
【００１６】
また前記裏蓋１５の内面側には、例えば３本の直管型蛍光管２１が並べて取り付けられている。これらの蛍光管２１は、図２(ｂ)に示すようにして枠体１４の前面に装着されるポスターパネル２２をその裏面側から照明するバックライト光源として用いられるものである。尚、ポスターパネル２２は、紙やプラスチック板等に文字・図形・写真等を印刷し、或いは描いたものからなる。そしてこのポスターパネル２２は、透光性を有するプラスチック製の押え板２３によりその裏面側から支持されて、枠体１４の前端周囲部に張り出したフランジ部との間に挟み込むことでポスターユニット１０ａの前面に装着されるようになっている。
【００１７】
一方、見本展示ユニット（広告ユニット）１０ｂは、図３(ａ)にその正面から見た状態を、図３(ｂ)に裏蓋を開けた状態をそれぞれ示すように、前述したポスターユニット１０ａと同様に四角形状の枠体１４と、この枠体１４の裏側を覆って開閉自在に設けられた裏蓋１５とを備える。尚、裏蓋１５の取付構造や多極コネクタ２０等が設けられる点も前述したポスターユニット１０ａと同様である。
【００１８】
この見本展示ユニット１０ｂが前述したポスターユニット１０ａと異なる点は、裏蓋１５の内面側に商品見本１３を保持する、例えば３個の商品保持体（内部構造物）２５が横並びに設けられており、更に枠体１４の内側下部に低背の広告台２６が設けられている点にある。上記商品保持体２５は、商品見本１３の下端部をその前後方向から挟み込んで保持する略Ｌ字形の部材からなり、例えばその鉛直方向の裏側中心線を中心軸として前記裏蓋１５に左右に回動自在に取り付けられている。
【００１９】
尚、モータによって往復動するリンク機構（図示せず）等の駆動系を裏蓋１５に組み込み、このリンク機構を用いて上記商品保持体（内部構造物）２５を、ひいてはこの商品保持体２５に装着した商品見本１３を左右に、或いは上下に揺動させる等の動きを与えるように構成することも可能である。また裏蓋１５の上記商品保持体２５を取り付けた背面板の裏側には、後述するように多色発光ダイオード（図示せず）等の照明系を組み込まれており、商品保持体２５に装着した商品見本１３の周囲（背面板）をその裏面側から多色透過照明（自照）するようなっている。
【００２０】
また前述した枠体１４の内側下部に組み込まれる広告台２６は、例えば後方に向けて傾けることで該枠体１４から取り外し可能に設けられている。この広告台２６は、図４に拡大して示すように裏面側を開放した細長形状の箱体からなり、その前面に広告パネル２７を装着可能な幅広の凹部２６ａを備える。この凹部２６ａは、その両側部と下部とに前記広告パネル２７の縁部が嵌め込まれる溝を形成した構造を有する。そして前記広告パネル２７は、広告台２６の上方から上記溝に沿って上記凹部２６ａに装脱し得るようになっている。更にこの広告台２６の上面前端部には、前述した商品保持体２５にそれぞれ装着される商品見本１３に対応した価格ラベル２８を装着する為の３つの凹部２６ｂが設けられている。これらの凹部２６ｂは、その両側部と奥部とに前記価格ラベル２８の縁部が嵌め込まれる溝を形成した構造を有する。そして価格ラベル２８は、広告台２６の前面側から上記溝に沿って上記凹部２６ｂに装脱されるようになっている。尚、凹部２６ｂに装着された価格ラベル２８は、前記凹部２６ａに装着された広告パネル２７によって凹部２６ｂからの脱落が阻止されるものとなっている。
【００２１】
上述した如く構成された広告ユニット１０（ポスターユニット１０ａおよび見本展示ユニット１０ｂ）は、前扉２を開けた状態で前扉２の裏面側から前述した窓部２ａに嵌め込むようにして該前扉２に装着される。そしてこのようにして前扉２に広告ユニット１０を装着した際、前扉２側に設けられている多極レセプタクル（図示せず）に前述した多極コネクタ２０が機械的・電気的に結合することで、多極コネクタ２０を介して前扉２側から広告ユニット１０に対して前述した蛍光管２１の駆動電力や、自動販売機の動作状態等を示す各種の電気信号が供給されるようになっている。
【００２２】
またこの例においては前扉２には、２つの広告ユニット１０を上下に並べて装着し得るように２つの窓部２ａが設けられている。そして、例えばその上側には前述したポスターユニット１０ａが装着され、またその下側には見本展示ユニット１０ｂが装着されるようになっている。尚、上下２段にポスターユニット１０ａをそれぞれ装着することも勿論可能であり、或いは見本展示ユニット１０ｂをそれぞれ装着することも勿論可能である。或いは特に図示しないが、前述した広告ユニット１０を上下に２個並べた形状の２倍の大きさの広告ユニットを準備しておき、この広告ユニットを一括して前扉２に装着するようにすることも可能である。
【００２３】
さて基本的には上述した如く構成される自動販売機においてこの発明が特徴とするところは、複数の商品見本１３を展示する商品展示部３、特にこの例においては図５に示すように前述した見本展示ユニット（広告ユニット）１０ｂの背面板３１を半透光性部材である白色のプラスチック板（合成樹脂板）により構成し、この背面板３１の裏面側に該背面板３１を透過照明する多色発光可能な光源体３２を設け、更にこの見本展示ユニット（広告ユニット）１０ｂに上記光源体３２の発光色およびその発光タイミングを制御する制御装置３３を組み込んだ点にある。
【００２４】
この光源体３２は、例えば図６(ａ)(ｂ)にその平面図と側面図とを示すように、赤（Ｒ）,緑（Ｇ）,青（Ｂ）の各色成分を発光する発光ダイオード（ＬＥＤ）３３ｒ,３３ｇ,３３ｂを並べて設け、これらの各発光ダイオード（ＬＥＤ）３３ｒ,３３ｇ,３３ｂからそれぞれ発せられる光を混合（合成）して照射するレンズ体３４を備えた、例えば５ｍｍ角程度の大きさのものからなる。そして前記制御装置３３の制御の下で上記各発光ダイオード（ＬＥＤ）３３ｒ,３３ｇ,３３ｂがそれぞれ発光する上記赤（Ｒ）,緑（Ｇ）,青（Ｂ）の各発光量（発光強度）を変えることで、その割合に応じた色成分の発光色を得るものとなっている。
【００２５】
この実施形態に係る自動販売機においては、上述した光源体３２を、例えば１２個直線状に並べた光源体群を１つの細長い形状の発光ユニットとして用い、４つの発光ユニットを前記背面板３１の裏面に前記見本展示ユニット１０ｂに並べて展示される３個の商品見本１３の並び方向に沿って、特に３個の商品見本１３の間とその両脇とにそれぞれ位置付けて配置するようにしている。これらの発光ユニット（光源体３２）を前記制御装置３３によりそれぞれ発光制御することで、見本展示ユニット１０ｂにおける背面板３１が予め設定された色で、或いは色調（色合い）で透過照明されることになる。
【００２６】
またこの見本展示ユニット１０ｂにおいては、更に前述した光源体３２を３個の商品見本１３の裏面側にそれぞれ位置付けて設けることで、プラスチック製の商品見本１３を透過照明するようにしている。この商品見本１３を透過照明する光源体３２については、商品が有する固有な色彩イメージを損なうことがないように白色光を発光するようにしておくことが望ましい。
【００２７】
さて上述した光源体（発光ユニット）３２の発光を制御する制御装置３３は、例えば４ビット程度のマイクロプロセッサ（図示せず）を主体として構成される。この制御装置３３は、基本的には前述した多極コネクタ２０を介して販売機本体１から与えられる該販売機本体１の動作状態を示す信号に応じて前記光源体（発光ユニット）３２の発光色や発光タイミングをそれぞれ制御する。特に制御装置３３は、図７に示すように見本展示ユニット１０ｂの裏面側に設けられた８個の設定スイッチ３４（３４ａ,３４ｂ,〜３４ｈ）のオン／オフ設定状態に応じて、前記光源体（発光ユニット）３２の発光色や発光タイミングをそれぞれ制御するものとなっている。
【００２８】
具体的には上記設定スイッチ３４の内の４個、つまり設定スイッチ３４ａ,３４ｂ,３４ｃ,３４ｄは自動販売機における『待機時モード』『硬貨投入時モード』『ボタン押下時モード』『販売時モード』のそれぞれに対応した発光パターンの設定用としての機能が、例えば表１に示すように割り当てられている。そしてこれらの設定スイッチ３４ａ,３４ｂ,３４ｃ,３４ｄのオン／オフ設定状態に従い、自動販売機の動作状態に応じて光源体３２の発光がそれぞれ制御される。
【００２９】
【表１】
2005301818.tif 000003
【００３０】
即ち、設定スイッチ３４ａが「オフ」に設定されている場合には、待機時において商品見本１３をそれぞれ透過照明する光源体３２の全てを点灯し、上記設定スイッチ３４ａが「オン」に設定されている場合には、商品見本１３をそれぞれ透過照明する光源体３２を１つずつ巡回的に点滅させる。また設定スイッチ３４ｂが「オン」に設定されている場合には、商品見本１３の裏側にそれぞれ設けられている光源体３２の全てを高速に点滅させると共に、背面板３１を透過照明する光源体３２の全てを白色点灯させる。更に設定スイッチ３４ｃが「オン」に設定されている場合には、押下された商品選択ボタン１１に対応する押下商品見本１３の裏側に設けられている光源体３２だけを点灯させ、背面板３１を透過照明する光源体３２については横方向にグラデーション効果が生じるように点灯制御する。そして設定スイッチ３４ｄが「オン」に設定されている場合には、商品見本１３の裏側にそれぞれ設けられている光源体３２の全てを低速に点滅させると共に、背面板３１を透過照明する光源体３２については、前述したボタン押下時とは異なったパターンで横方向にグラデーション効果が生じるように点灯制御する。
【００３１】
尚、ここでのグラデーション効果とは、例えば［青］［青緑］［緑］〜［白］の順序で発光体３２の発光色を、その配列方向に順次変化させる動作を称する。具体的には、例えば左側の発光体３２から順にその変化タイミングを所定の間隔でずらしながらその発光色を［青］から［青緑］と変化させ（表示色の更新）、その色変化が終了したならば、次にその発光色を［青緑］から［緑］へと変化させ、これを［白］に至るまで順次繰り返すことで、背面板３１の全体の透過照明色を［青］［青緑］［緑］〜［白］として順に変化（更新）させる照明パターンを指す。或いは［白］を基準色（背景色）として、例えば左側の発光体３２から順に一定期間ずつ［青］［青緑］［緑］〜［白］の順序で発光色を変化させることにより、［青］の色部分が横方向に流れた後（スクロールした後）に［青緑］の色部分が横に流れる（スクロールする）処理を、［紫］に至るまで順に繰り返す照明パターンを指す。
【００３２】
一方、前述した待機時における背面板３１の透過照明については、残された４個の設定スイッチ３４ｅ,３４ｆ,３４ｇ,３４ｈによってその照明パターンが、例えば表２に示すように設定される。そして制御装置３３は、上記設定スイッチ３４ｅ,３４ｆ,３４ｇ,３４ｈのオン／オフ設定状態に応じて上記各光源体３２の発光色とその発光タイミングをそれぞれ制御することになる。
【００３３】
【表２】
2005301818.tif 000004
【００３４】
即ち、設定スイッチ３４ｈが「オフ」に設定されていることを条件として、「オン」設定されている設定スイッチ３４ｅ,３４ｆ,３４ｇの組合せに応じて背面板３１を透過照明する光源体３２の発光色が、［青］［青緑］〜［白］の発光色が選択的（択一的）に決定される。また前記設定スイッチ３４ｈが「オン」に設定されている場合には、「オン」に設定されている設定スイッチ３４ｅ,３４ｆ,３４ｇの組合せに応じて高速に色変化を呈するグラデーション照明を実行するか、低速に色変化を呈するグラデーション照明を実行するか、或いは［白］［緑］［赤］の代表的な色だけでグラデーション的に表示色を変化させるかを決定する。
【００３５】
かくしてこのようにして背面板３１および商品見本１３に対する透過照明色を変化させるようにした自動販売機によれば、商品見本１３を展示した見本展示ユニット１０ａが多彩に色表現されることになるので、商品見本１３自体が持つ商品イメージに加えて多様な視覚的イメージ表現を行うことが可能となる。しかもこのような表示色（透過照明色）の変化は、自動販売機から遠く離れた位置においても消費者（商品購買者）の潜在的な視感覚を喚起することが可能となるので、消費者の注目を集める上での効果が高い等の効果が奏せられる。
【００３６】
また背面板３１を透過照明するための光源体３２を商品見本１３によって覆われる部位を避けた位置に設けているので、背面板３１おける商品見本３１の周囲だけを効果的（効率的）に透過照明することができる。従って光源体３２の発光（照明）強度が弱くても背面板３１の全体を効果的に照明することができ、その照明エネルギを低く抑え得る等の効果も奏せられる。
【００３７】
更には背面板３１の表示色を適正に設定すれば、例えば赤色系の表示により暖かみをイメージさせることができ、また青色系の表示により涼しさや冷たさのイメージを表現することが可能となる。従ってこのような色表現により、商品イメージを高めることも可能となる等の効果が奏せられる。更には時間経過に伴って商品販売戦略が変わった場合や、季節に応じてその表示色形態を簡易に変更することが可能となるので、常に新鮮な感覚で自動販売機の存在を消費者にアピールすることが可能となる。また上述した色設定については、前述したように自動販売機の設置現場において簡易に変更することが可能なので、商品販売元のニーズの変化や市場動向の変化等に応じて自動販売機毎に柔軟に変更していくことが可能となる。
【００３８】
尚、本発明は上述した実施形態に限定されるものではない。実施形態においては広告ユニット（商品展示ユニット）１０の背面板３１を透過照明する例について示したが、前扉２に設けられる商品展示部３の全体に上述した背面板の透過照明機能を組み込んでも良いことは言うまでもない。またここではたばこ（シガレット）の自動販売機を例に説明したが、その他のパッケージ商品や飲料缶等の自動販売機にも同様に適用することができる。特に飲料缶等の自動販売機に適用した場合には、加温（加熱）して販売する商品と、冷却して販売する商品とに応じてその表示色を変えることが可能なので、商品イメージを高める上での効果が非常に高い。
【００３９】
また制御装置３３においては、自動販売機の動作状態に応じて与えられる電気信号に従って自動販売機の主たる動作とは独立してその照明系を制御するだけで良いので、販売機本体１に与える処理負担がない等の効果も奏する。またここでは光源体３２として発光ダイオードを用いたが、その他の発光体を用いたり、白色発光体と色フィルタとを用いてその照明色を変更するように構成することも勿論可能である。更には設定スイッチの数や、設定スイッチのオン／オフ状態に応じて可変設定する発光色やその発光パターン、更にはそのパターン変化の周期等は、仕様に応じて定めれば良いものであり、その周期等を可変設定可能に設けることも勿論可能である。その他、本発明はその要旨を逸脱しない範囲で種々変形して実施することができる。
【図面の簡単な説明】
【００４０】
【図１】本発明の一実施形態に係る自動販売機の概略構成を説明する為の外観を示す斜視図。
【図２】図１に示す自動販売機に装着されるポスターユニット（広告ユニット）の概略的な構造を示す図。
【図３】図１に示す自動販売機に装着される商品展示ユニット（広告ユニット）の概略的な構造を示す図。
【図４】図３に示す商品展示ユニットにおける広告台の構造とこの広告台への広告パネル等の装着構造を示す図。
【図５】広告ユニットへの光源体の組み込み位置の例を示す図。
【図６】光源体の例を示す図。
【図７】広告ユニットの裏面に設けられる設定スイッチの例を示す図。
【符号の説明】
【００４１】
１  販売機本体
２  前扉
３  商品展示部
４  商品選択釦
１０  広告ユニット
１０ａ  ポスターユニット（広告ユニット）
１０ｂ  商品展示ユニット（広告ユニット）
１１  補助商品選択釦
１３  商品見本
２２  ポスターパネル
３１  背面板
３２  光源体
３３  制御装置
３４  設定スイッチ
【図１】
2005301818.tif 000005
【図２】
2005301818.tif 000006
【図３】
2005301818.tif 000007
【図４】
2005301818.tif 000008
【図５】
2005301818.tif 000009
【図６】
2005301818.tif 000010
【図７】
2005301818.tif 000011